【手続補正書】
【提出日】平成18年7月5日(2006.7.5)
【手続補正１】
【補正対象書類名】明細書
【補正対象項目名】特許請求の範囲
【補正方法】変更
【補正の内容】
【特許請求の範囲】
【請求項１】  (Ｓ)-Ｎ-[[３-[３-フルオロ-４-[４-(ヒドロキシアセチル)-１-ピペラジニル]フェニル]-２-オキソ-５-オキサゾリジニル]メチル]アセトアミド、
(Ｓ)-Ｎ-[[３-[３-フルオロ-４-（４-モルホリニル）フェニル]-２-オキソ-５-オキサゾリジニル]メチル]アセトアミド、
Ｎ-((５Ｓ))-３-（３-フルオロ-４-(４-(２-フルオロエチル)-３-オキソピペラジン-１-イル)フェニル)-２-オキソオキサゾリジン-５-イルメチル)アセトアミド、
(Ｓ)-Ｎ-[[３-[５-（３-ピリジル）チオフェン-２-イル]-２-オキソ-５-オキサゾリジニル]メチル]アセトアミド、および
(Ｓ)-Ｎ-[[３-[５-（４-ピリジル）ピリド-２-イル]-２-オキソ-５-オキサゾリジニル]メチル]アセトアミド塩酸塩から選択されるオキサゾリジノンを含む、有用な恒温哺乳動物の眼に直接投与する、眼科感染症を治療するための医薬組成物。
【請求項２】  該哺乳動物がヒトであることを特徴とする請求項１記載の医薬組成物。
【請求項３】  該哺乳動物がイヌまたはネコであることを特徴とする請求項１記載の医薬組成物。
【請求項４】  オキサゾリジノンが：
(Ｓ)-Ｎ-[[３-[３-フルオロ-４-[４-(ヒドロキシアセチル)-１-ピペラジニル]フェニル]-２-オキソ-５-オキサゾリジニル]メチル]アセトアミド、または
(Ｓ)-Ｎ-[[３-[３-フルオロ-４-（４-モルホリニル）フェニル]-２-オキソ-５-オキサゾリジニル]メチル]アセトアミド であることを特徴とする請求項１ないし３のいずれか１項に記載の医薬組成物。
【請求項５】  オキサゾリジノンが： 
(Ｓ)-Ｎ-[[３-[３-フルオロ-４-（４-モルホリニル）フェニル]-２-オキソ-５-オキサゾリジニル]メチル]アセトアミド
であることを特徴とする請求項４記載の医薬組成物。
【請求項６】  医薬組成物が、液剤、クリーム剤、軟膏、乳剤、懸濁剤および徐放性処方よりなる群から選択されることを特徴とする請求項１ないし５のいずれか１項に記載の医薬組成物。
【請求項７】  医薬組成物が、液剤、クリーム剤、軟膏、乳剤および懸濁剤よりなる群から選択されることを特徴とする請求項６記載の医薬組成物。
【請求項８】  医薬組成物が、インサート（insert）または治療流体容器中の液剤であることを特徴とする請求項７記載の医薬組成物。
【請求項９】  １日当たり２ないし４回投与することを特徴とする請求項１ないし８のいずれか１項に記載の医薬組成物。
【請求項１０】  オキサゾリジノンの量が０.３ないし２０％であることを特徴とする請求項１ないし９のいずれか１項に記載の医薬組成物。
【請求項１１】  オキサゾリジノンの量が０.５ないし１８％であることを特徴とする請求項１０記載の医薬組成物。
【請求項１２】  感染症が、ブドウ状球菌（Staphylococci）、連鎖球菌（Streptococci）、腸球菌(Enterococci)、バシルス（Bacillus）、コリネバクテリウム（Corynebacterium）、クラミジア（Chlamydia）またはナイセリア（Neisseria)によって引き起こされる感染症であることを特徴とする請求項１ないし１１のいずれか１項に記載の医薬組成物。
【請求項１３】  感染症が、ブドウ状球菌、連鎖球菌または腸球菌によって引き起こされる感染症であることを特徴とする請求項１２記載の医薬組成物。
【請求項１４】  感染症が、ブドウ状球菌または連鎖球菌によって引き起こされる感染症であることを特徴とする請求項１３記載の医薬組成物。
【請求項１５】  感染症が、細菌性角膜炎、細菌性結膜炎または角膜潰瘍によって引き起こされる感染症であることを特徴とする請求項１ないし１４のいずれか１項に記載の医薬組成物。
【請求項１６】  感染症が細菌性角膜炎または細菌性結膜炎によって引き起こされる感染症であることを特徴とする請求項１５記載の医薬組成物。
【請求項１７】  (Ｓ)-Ｎ-[[３-[３-フルオロ-４-[４-(ヒドロキシアセチル)-１-ピペラジニル]フェニル]-２-オキソ-５-オキサゾリジニル]メチル]アセトアミド、
(Ｓ)-Ｎ-[[３-[３-フルオロ-４-（４-モルホリニル）フェニル]-２-オキソ-５-オキサゾリジニル]メチル]アセトアミド、
Ｎ-((５Ｓ))-３-（３-フルオロ-４-(４-(２-フルオロエチル)-３-オキソピペラジン-１-イル)フェニル)-２-オキソオキサゾリジン-５-イルメチル)アセトアミド、
(Ｓ)-Ｎ-[[３-[５-（３-ピリジル）チオフェン-２-イル]-２-オキソ-５-オキサゾリジニル]メチル]アセトアミド、および
(Ｓ)-Ｎ-[[３-[５-（４-ピリジル）ピリド-２-イル]-２-オキソ-５-オキサゾリジニル]メチル]アセトアミド塩酸塩から選択される眼科的に有効な量のオキサゾリジノンを含む、ヒトを除く有用な恒温哺乳動物の眼に直接投与する、眼科感染症を治療するための方法。
【請求項１８】  該哺乳動物がイヌまたはネコであることを特徴とする請求項１７記載の方法。
【請求項１９】  オキサゾリジノンが：
(Ｓ)-Ｎ-[[３-[３-フルオロ-４-[４-(ヒドロキシアセチル)-１-ピペラジニル]フェニル]-２-オキソ-５-オキサゾリジニル]メチル]アセトアミド、または
(Ｓ)-Ｎ-[[３-[３-フルオロ-４-（４-モルホリニル）フェニル]-２-オキソ-５-オキサゾリジニル]メチル]アセトアミド であることを特徴とする請求項１７記載の方法。
【請求項２０】  オキサゾリジノンが：
(Ｓ)-Ｎ-[[３-[３-フルオロ-４-（４-モルホリニル）フェニル]-２-オキソ-５-オキサゾリジニル]メチル]アセトアミド
であることを特徴とする請求項１９記載の方法。
【請求項２１】  医薬組成物が、液剤、クリーム剤、軟膏、乳剤、懸濁剤および徐放性処方よりなる群から選択されることを特徴とする請求項１７記載の方法。
【請求項２２】  医薬組成物が、液剤、クリーム剤、軟膏、乳剤および懸濁剤よりなる群から選択されることを特徴とする請求項２１記載の方法。
【請求項２３】  医薬組成物が、インサート（insert）または治療流体容器中の液剤であることを特徴とする請求項２１記載の方法。
【請求項２４】  １日当たり２ないし４回投与することを特徴とする請求項１７記載の方法。
【請求項２５】  眼科的に有効な量が０.３ないし２０％であることを特徴とする請求項１７記載の方法。
【請求項２６】  眼科的に有効な量が０.５ないし１８％であることを特徴とする請求項２５記載の方法。
【請求項２７】  感染症が、ブドウ状球菌（Staphylococcus）、連鎖球菌（Streptococcus）、腸球菌(Enterococcus)、バシルス（Bacillus）、コリネバクテリウム（Corynebacterium）、クラミジア（Chlamydia）またはナイセリア（Neisseria)によって引き起こされる感染症であることを特徴とする請求項１７記載の方法。
【請求項２８】  感染症が、ブドウ状球菌、連鎖球菌または腸球菌によって引き起こされる感染症であることを特徴とする請求項２７記載の方法。
【請求項２９】  感染症が、ブドウ状球菌または連鎖球菌によって引き起こされる感染症であることを特徴とする請求項２８記載の方法。
【請求項３０】  感染症が、細菌性角膜炎、細菌性結膜炎または角膜潰瘍によって引き起こされる感染症であることを特徴とする請求項１７記載の方法。
【請求項３１】  感染症が細菌性角膜炎または細菌性結膜炎によって引き起こされる感染症であることを特徴とする請求項３０記載の方法。